【手続補正書】
【提出日】平成15年8月14日(2003.8.14)
【手続補正１】
【補正対象書類名】明細書
【補正対象項目名】特許請求の範囲
【補正方法】変更
【補正の内容】
【特許請求の範囲】
【請求項１】
文書の印刷目的を設定する目的設定手段と、
前記文書の印刷条件に関する指示を設定するための設定画面を表示手段に表示させる表示制御手段と、
前記表示制御手段により表示手段に表示された前記設定画面で設定された指示に応じて、前記文書を印刷する印刷条件を作成する印刷条件作成手段と、
前記印刷条件作成手段により作成された印刷条件に基づいて、前記文書を印刷するように外部装置に対して印刷指示する印刷指示手段とを具備し、
前記表示制御手投は、前記目的設定手段で設定された印刷目的に応じて、表示すべき前記設定画面の表示形態を変更することを特徴とする画像処理装置。
【請求項２】
前記目的設定手段は、予め設定された複数の印刷目的を有し、該複数の印刷目的の中から選択された１つの印刷目的を、前記文書の印刷目的として設定することを特徴とする請求項１記載の画像処理装置。
【請求項３】
前記目的設定手段は、前記印刷目的を特定するための予め設定された複数の出力形態の中から選択された、少なくとも１つの出力形態に対応する印刷目的を、前記文書の印刷目的として設定することを特徴とする請求項１記載の画像処理装置。
【請求項４】
前記出力形態は、前記文書の利用者が前記印刷目的を指示する本人であるか否かに関する条件を含むことを特徴とする請求項３記載の画像処理装置。
【請求項５】
前記目的設定手段は、前記文書の属性または前記印刷指示装置の動作環境に関する動作環境情報に応じて前記印刷目的を設定することを特徴とする請求項１記載の画像処理装置。
【請求項６】
前記文書は、前記画像処理装置上で稼動するアプリケーションプログラムで作成または編集されたものであり、前記動作環境情報は、前記アプリケーションプログラムに関する情報を含むことを特徴とする請求項５記載の画像処理装置。
【請求項７】
前記動作環境情報は、前記文書を印刷する印刷装置に関する情報を含むことを特徴とする請求項５記載の画像処理装置。
【請求項８】
前記文書属性は、前記文書を識別する識別情報を含むことを特徴とする請求項５記載の画像処理装置。
【請求項９】
前記文書属性は、前記文書を利用する利用者に関する情報を含むことを特徴とする請求項５記載の画像処理装置。
【請求項１０】
前記表示制御手段は、前記目的設定手段で設定された前記印刷目的に応じて、前記文書を印刷する印刷条件に関する指示を設定する設定項目を変更することを特徴とする請求項１記載の画像処理装置。
【請求項１１】
前記表示制御手段は、前記目的設定手段で設定された前記印刷目的に応じて、前記文書を印刷する印刷条件に関する指示を設定する設定項目のうち、少なくとも一部の表示形態を変更することを特徴とする請求項１記載の画像処理装置。
【請求項１２】
前記表示制御手段は、前記目的設定手段で設定された前記印刷目的に応じて、前記文書を印刷する印刷条件に関する指示を設定する設定項目の表示位置を変更することを特徴とする請求項１記載の画像処理装置。
【請求項１３】
文書を印刷する印刷目的と当該文書を印刷する際の推奨印刷条件とを対応づけたデータベースと、
前記文書を印刷する印刷目的を設定する目的設定手段と、
前記文書の印刷条件に関する指示を設定するための設定画面を表示手段に表示させる表示制御手段と、
前記目的設定手段により設定された前記印刷目的に応じた前記推奨印刷条件を、前記データベースを参照して前記表示制御手段により表示させる推奨印刷条件参照手段と、
前記表示制御手段により表示された前記設定画面で設定された指示に応じて、前記文書を印刷する印刷条件を作成する印刷条件作成手段と、
前記印刷条件作成手段で作成された前記印刷条件に基づいて、前記文書を印刷するように外部装置に対して印刷指示する印刷指示手段とを具備することを特徴とする画像処理装置。
【請求項１４】
前記設定画面で設定された指示の履歴に応じて、前記データベースを更新することを特徴とする請求項１３記載の画像処理装置。
【請求項１５】
前記目的設定手段は、予め設定された複数の印刷目的を有し、該複数の印刷目的の中から選択された１つの印刷目的を、前記文書の印刷目的として設定することを特徴とする請求項１３記載の画像処理装置。
【請求項１６】
前記目的設定手段は、前記印刷目的を特定するための予め設定された複数の出力形態の中から選択された、少なくとも１つの出力形態に対応する印刷目的を、前記文書の印刷目的として設定することを特徴とする請求項１３記載の画像処理装置。
【請求項１７】
前記目的設定手段は、前記文書の属性または前記印刷指示装置の動作環境に関する動作環境情報に応じて前記印刷目的を設定することを特徴とする請求項１３記載の画像処理装置。
【請求項１８】
前記文書は、前記画像処理装置上で稼動するアプリケーションプログラムで作成または編集されたものであり、前記動作環境情報は、前記アプリケーションプログラムに関する情報を含むことを特徴とする請求項１７記載の画像処理装置。
【請求項１９】
前記動作環境情報は、前記文書を印刷する印刷装置に関する情報、前記文書を識別する識別情報、または前記文書を利用する利用者に関する情報のうち、少なくともいずれか１つを含むことを特徴とする請求項１７記載の画像処理装置。
【請求項２０】
前記表示制御手段は、前記目的設定手段で設定された前記印刷目的に応じて、前記文書を印刷する印刷条件に関する指示を設定する設定項目を変更することを特徴とする請求項１３記載の画像処理装置。
【請求項２１】
前記表示制御手段は、前記目的設定手段で設定された前記印刷目的に応じて、前記文書を印刷する印刷条件に関する指示を設定する設定項目のうち、少なくとも一部の表示形態を変更することを特徴とする請求項１３記載の画像処理装置。
【請求項２２】
前記表示制御手段は、前記目的設定手段で設定された前記印刷目的に応じて、前記文書を印刷する印刷条件に関する指示を設定する設定項目の表示位置を変更することを特徴とする請求項１３記載の画像処理装置。
【請求項２３】
文書の印刷条件に関する指示を設定するための設定画面を表示する際に、前記文書の印刷目的を選択可能に前記設定画面に表示させるステップと、
前記設定画面で選択された印刷目的に応じて、表示すべき前記設定画面の表示形態を変更するステップと、
前記設定画面で設定された指示に応じて、前記文書を印刷する印刷条件を作成するステップと、
前記印刷条件に基づいて、前記文書を印刷するように外部装置に対して印刷指示するステップとを有することを特徴とする印刷指示方法。
【請求項２４】
前記設定画面を表示する際、前記文書の印刷目的を特定するための予め設定された複数の出力形態を選択可能に表示し、選択された少なくとも１つの出力形態に対応する印刷目的を前記文書の印刷目的として設定することを特徴とする請求項２３記載の印刷指示方法。
【請求項２５】
前記設定画面の表示形態を変更する際、前記文書を印刷する印刷条件に関する指示を設定する設定項目を変更することを特徴とする請求項２３記載の印刷指示方法。
【請求項２６】
前記設定画面の表示形態を変更する際、前記文書を印刷する印刷条件に関する指示を設定する設定項目のうち、少なくとも一部の表示形態を変更することを特徴とする請求項２３記載の印刷指示方法。
【請求項２７】
前記設定画面の表示形態を変更する際、前記文書を印刷する印刷条件に関する指示を設定する設定項目の表示位置を変更することを特徴とする請求項２３記載の印刷指示方法。
【請求項２８】
前記文書を印刷する印刷目的と当該文書を印刷する際の推奨印刷条件とを予め対応づけてデータベースとして記憶しておき、前記設定画面を表示する際、前記印刷目的に応じた前記推奨印刷条件を、前記データベースを参照して表示することを特徴とする請求項２３記載の印刷指示方法。
【請求項２９】
前記設定画面で設定された指示の履歴に応じて、前記データベースを更新するステップを有することを特徴とする請求項２８記載の印刷指示方法。
【手続補正２】
【補正対象書類名】明細書
【補正対象項目名】００１０
【補正方法】変更
【補正の内容】
【００１０】
【課題を解決するための手段】
上述した問題点を解決するために、本発明は、文書の印刷目的を設定する目的設定手段と、前記文書の印刷条件に関する指示を設定するための設定画面を表示手段に表示させる表示制御手段と、前記表示制御手段により表示手段に表示された前記設定画面で設定された指示に応じて、前記文書を印刷する印刷条件を作成する印刷条件作成手段と、前記印刷条件作成手段により作成された印刷条件に基づいて、前記文書を印刷するように外部装置に対して印刷指示する印刷指示手段とを具備し、前記表示制御手投は、前記目的設定手段で設定された印刷目的に応じて、表示すべき前記設定画面の表示形態を変更することを特徴とする。


【手続補正３】
【補正対象書類名】明細書
【補正対象項目名】００１１
【補正方法】変更
【補正の内容】
【００１１】
この発明によれば、文書の印刷条件に関する指示を設定するための設定画面を表示制御手段により表示する際に、前記目的設定手段で設定された印刷目的に応じて、表示すべき前記設定画面の表示形態を変更し、該設定画面で設定された指示に応じて、前記文書を印刷する印刷条件を印刷条件作成手段により作成し、作成された印刷条件に基づいて、印刷指示手段により、前記文書を印刷するように外部装置に対して印刷指示する。したがって、印刷目的などに応じて、印刷指示時の設定画面の表示形態を変化させることにより、設定作業の煩雑さを軽減するとともに、機能などを削減することなく設定の明示的な登録などの冗長な操作をなくすことが可能となる。


【手続補正４】
【補正対象書類名】明細書
【補正対象項目名】００６１
【補正方法】変更
【補正の内容】
【００６１】
【発明の効果】
以上、説明したように、この発明によれば、文書の印刷条件に関する指示を設定するための設定画面を表示制御手段により表示する際に、前記目的設定手段で設定された印刷目的やこれを特定するため、あるいは実行環境情報などを利用して設定画面の表示形態を変化させるようにしたので、文書データの印刷時における設定作業の煩雑さを軽減するとともに、機能などを削減することなく設定の明示的な登録などの冗長な操作をなくすことができるという利点が得られる。